(57)【特許請求の範囲】
【請求項１】
機本体の扉正面に有するドア用施錠装置とは別に、機本体に扉との間を跨ぐＬ状のロックアームを取り付けて扉の開閉を二重にロックするロック装置であって、機本体の側面にアームホルダを固定し、該アームホルダで、ロックアームを、その先端側アーム部がドア用施錠装置の鍵穴を覆うロック位置と、その鍵穴部位から離れた機本体の側面に沿って直立するロック解除位置とに回動可能に保持する構造の防犯用ロック装置において、
前記ロックアームの先端側アーム部に施錠カバー手段を取り付け、該施錠カバー手段を、それぞれ耐衝撃性成形材料を用いて異なるブロック形状に一体成形した複数種類の成形カバー部材を備えて構成し、
各々の成形カバー部材は、前記ロックアームの先端側アーム部が前記ロック位置にあるとき、扉正面と向き合う背面側に固定手段を嵌め込む取付穴を設け、先端側アーム部が前記ロック解除位置にあるとき、取付穴から固定手段を外して別の成形カバー部材に取り替え可能に構成してなる、防犯用ロック装置。
【請求項２】
前記成形カバー部材に凹状のグリップ部を設けてなる、請求項１に記載の防犯用ロック装置。
【請求項３】
前記成形カバー部材に掛止め部を設けてなる、請求項１又は２に記載の防犯用ロック装置。
【発明の詳細な説明】
【０００１】
【発明の属する技術分野】
本発明は、自動販売機などの防犯用に使用されるもので、機本体の扉正面に有するドア用施錠装置とは別に、機本体と扉間を跨ぐＬ状のロックアームを用いてロックアームを用いて扉の開閉を二重にロックする防犯用ロック装置に関する。
【０００２】
【従来の技術】
一般に、自動販売機などでは、図１５に示すように、販売機本体１の扉２にドア用施錠装置３が組み込まれているが、バール等の適宜工具を使って不正に解錠されたり、破壊されたりして盗難に会うことがあるため、主たるドア用施錠装置３とは別に防犯用ロック装置４を備え、この防犯用ロック装置４とドア用施錠装置３とで扉２の開閉を二重にロックしている。
【０００３】
従来の防犯用ロック装置４には、丸棒をＬ状に折り曲げたロックアーム５と、ロックアーム５の基端側アーム部５ａを回動自在に保持するアームホルダ６を備えている。アームホルダ６は、シリンダ錠６ａと、シリンダ錠６ａの施解錠動作と連動してロックアーム５を係脱自在に保持するアーム保持機構（図示省略）を内蔵し、販売機本体１の側面に固定する構造になっている。そして、扉２の開閉をロックするときは、鍵でシリンダ錠６ａを解錠してロックアーム５の回動規制を解除してから、ロックアーム５を回動し、その先端側アーム部５ｂがドア用施錠装置３の鍵穴３ａを覆うロック位置に配して扉２の開閉を規制している。
【０００４】
【発明が解決しようとする課題】
ところが、上述のような従来の防犯用ロック装置では、ロック時に細い先端側アーム部５ｂがドア用施錠装置３の鍵穴３ａを覆うロック位置になるように、ロックアーム５を正確に機本体１に取り付けることができず、アーム取付位置にズレを生じやすいという問題がある。しかも、自動販売機側において、ドア用施錠装置３が扉正面に縦付けだったり横付けだったり、通常、ドア用施錠装置３の取付態様も一定でないため、それが原因で、ロックアーム５を取り付けたとき、細い先端側アーム部５ｂが鍵穴３ａを覆う遮蔽位置からずれやすいという問題がある。そのような結果、従来、ロックアーム５は、先端側アーム部５ｂから鍵穴３ａが一部覗いた取付状態になりやすく、結局、不正に解錠されて、依然として盗難を十分に防止できないという課題があった。
【０００５】
また、仮に、先端側アーム部５ｂが鍵穴３ａを覆うロック位置に、ロックアーム５を正確に機本体１に取り付けた状態にしても、従来の構造によっては、適宜工具を使って、細い先端側アーム部５ｂを叩いて鍵穴３ａからずらすことにより、不正に解錠されることがあり、やはり盗難を十分に防止できないという課題があった。
【０００６】
そこで、本発明の目的は、ロックアーム取付の位置ズレに関係なく、たとえドア用施錠装置を鍵穴から不正に解錠しようとしても、これを防止して盗難防止効果をより一層向上させる防犯用ロック装置を提供することにある。
【０００７】
【課題を解決するための手段】
したがって、請求項１に記載の発明は、上記目的を達成すべく、たとえば以下に示す図示実施の形態のとおり、機本体Ａの扉正面に有するドア用施錠装置Ｃとは別に、機本体Ａに扉との間を跨ぐＬ状のロックアーム１０を取り付けて扉Ｂの開閉を二重にロックするロック装置であって、機本体Ａの側面４９にアームホルダ１１を固定し、該アームホルダ１１で、ロックアーム１０を、その先端側アーム部１０ｄがドア用施錠装置Ｃの鍵穴２６ａを覆うロック位置と、その鍵穴部位から離れた機本体Ａの側面４９に沿って直立するロック解除位置とに回動可能に保持する構造の防犯用ロック装置Ｒにおいて、前記ロックアーム１０の先端側アーム部１０ｄに施錠カバー手段１２を取り付け、該施錠カバー手段１２を、それぞれ耐衝撃性成形材料を用いて異なるブロック形状に一体成形した複数種類の成形カバー部材１２ａ…を備えて構成し、各々の成形カバー部材１２ａ…は、前記ロックアーム１０の先端側アーム部１０ｄが前記ロック位置にあるとき、扉正面と向き合う背面ｔ側に、固定用ねじ１６のような固定手段を嵌め込む取付穴５５を設け、先端側アーム部１０ｄが前記ロック解除位置にあるとき、取付穴５５から固定手段を外して別の成形カバー部材に取り替え可能に構成してなることを特徴とする。
【０００８】
請求項２に記載の発明は、請求項１に記載の防犯用ロック装置Ｒにおいて、たとえば以下に示す図示実施の形態のとおり、前記成形カバー部材１２ａ…に凹状のグリップ部５４を設けてなることを特徴とする。
【０００９】
請求項３に記載の発明は、請求項１又は２に記載の防犯用ロック装置Ｒにおいて、たとえば以下に示す図示実施の形態のとおり、前記成形カバー部材１２ａ…に掛止め部６０を設けてなることを特徴とする。
【００１０】
【発明の実施の形態】
以下、図面を参照しつつ、本発明の実施の形態について説明する。
【００１１】
図６は、本発明による防犯用ロック装置を、一例として自動販売機に取り付けた状態を示す斜視図である。図中符号Ａは、自動販売機の機本体、Ｂは、機本体Ａに開閉自在に取り付けた扉、Ｃは、扉Ｂの正面に組み込まれたドア用施錠装置である。ドア用施錠装置Ｃは、扉Ｂに周知のシリンダ錠２６を内蔵する一方、その鍵穴２６ａを扉正面から臨ませ、鍵穴２６ａから鍵４５を差し込んで施解錠可能になっている（図１参照）。
【００１２】
さて、図６中符号Ｒで示す装置が、ドア用施錠装置Ｃと相俟って、扉Ｂを二重にロックする本発明の防犯用ロック装置である。防犯用ロック装置Ｒには、ロックアーム１０およびアームホルダ１１と共に、特に、施錠カバー手段１２の成形カバー部材１２ａを備える。
【００１３】
ロックアーム１０は、自動販売機のコーナー部形状に合わせて、図２〜図４に示すように、金属製の丸棒をＬ字状に曲げ成形して基端側アーム部１０ａを一段やや細径に形成し、基端側アーム部１０ａの片側に、後述するロックプレートｃの板厚に合わせた溝幅の切欠き溝１０ｂを設けている。同じ基端側アーム部１０ａの他側には、回転規制用のねじ１４のねじ穴１０ｃを径方向に螺設している。回転規制用ねじ１４には、捩じ込み用の断面六角穴を有する。一方、先端側アーム部１０ｄには、ねじ穴１０ｃと同じ他側に、施錠カバー手段１２の固定用ねじ（固定手段）１６のねじ穴１０ｅを径方向に螺設している。
【００１４】
本発明における施錠カバー手段１２は、複数種類の異なるブロック形状をなす成形カバー部材１２ａ…を揃えて構成するが、図１〜図１０に、その１種類の成形カバー部材１２ａを示している。成形カバー部材１２ａは、耐衝撃性成形材料、たとえば硬質で高強度の樹脂材料や金属材料を用いてブロック形状に一体成形する。そして、図２〜図４に示すように、少なくともブロック正面ｓと背面ｔ側をドア用施錠装置Ｃのシリンダ錠２６の円形鍵穴部位より幅広で、丸みを帯びた略直方体状に形成している。また、両端面ｖ間には、アーム挿通穴５３を挿設し、図中上面ｗ側に凹状のグリップ部５４を設け、アーム挿通穴５３を外部に臨ませている。さらに、特に背面ｔ側には、固定用ねじ１６のねじ穴１０ｅと対応する雌ねじ穴から成る取付穴５５を、アーム挿通穴５３へと貫通するように螺設してなる。
【００１５】
上記アームホルダ１１は、ホルダ本体１３と、ホルダ本体１３に内蔵するシリンダ錠１５およびロックアーム１０の保持手段を構成する複数の機構部品Ｐを備える。機構部品Ｐとしては、シリンダストッパａと、カムｂと、ロックプレートｃと、付勢ばねｄを備える。
【００１６】
ホルダ本体１３は、外装ケース１９と、外装ケース１９内に嵌め込む組付用ブロック２０の２つに分割して構成してなる。外装ケース１９は、硬質で剛性の高い金属材料、例えばステンレス鋼を用い、固定側の背面側に矩形な開口２１をあけて板厚を肉厚にした直方形箱状に成形する。そして、底面に、シリンダ錠１５を挿通する円形なシリンダ挿通穴２２を設ける。一方、ロックアーム１０を嵌挿する側の一側面２３には、円形のアーム挿通穴２４を設けると共に、同じ一側面２３の内側には、アーム挿通穴２４の下側に、凸状の第１掛止部１９ａを設ける。さらに、矩形開口２１側と反対の正面１８にも、図５に示すように、内側に凸状の第２掛止部１９ｂを設ける。第２掛止部１９ｂは、突端部分を屈曲させて第１掛止部１９ａと同じ向きに突設している。
【００１７】
組付用ブロック２０は、低融点合金、例えばダイカスト用亜鉛合金を用いてダイカスト鋳造法により、図２〜図４に示すように、外装ケース１９の中空部形状に合わせて全体を直方体状に成形する。また、そのほかダイカスト用アルミニウム合金などを用いて成形することもできる。
【００１８】
そして、組付用ブロック２０には、図中下部に、外装ケース１９のシリンダ挿通穴２２と対応する円形穴２５を、底面から図中上向きに設けて成形する。一方、上部には、アーム挿通穴２４と対応する位置で、横向きに貫通する筒穴２７を設ける。また、片側の側面２８には、外装ケース１９の凸状第１掛止部１９ａと対応する、凹状の第１掛止部２０ａを設ける。第１掛止部２０ａは、一側の側面２８に一段低い段部を設けて凹状に成形する。他側の側面２９と正面３０間の角部には、外装ケース１９の凸状第２掛止部１９ｂと対応する、凹状の第２掛止部２０ｂを設ける。第２掛止部２０ｂは、角部に矩形の連通穴をあけて凹状に形成している。
【００１９】
さらに、組付用ブロック２０の下部には、固定側の背面３１に、機構部品Ｐのシリンダストッパａを組み込むストッパ組付凹部２０ｃと、その上段にカムｂを組み込むカム組付凹部２０ｄを設ける。また、ストッパ組付凹部２０ｃの横には、シリンダストッパａと係合する凸状のストッパ係合部２０ｅを、縦向きに残して成形している。さらに、ストッパ係合部２０ｅの上方には、同じ背面３１において、筒穴２７と連通する直交方向に、回転規制用ねじ１２のねじ挿通穴３２を設ける。
【００２０】
加えて、組付用ブロック２０には、筒穴２７とねじ挿通穴３２とが直交する連通位置において（図７参照）、さらに図中上向きに開口する穴を穿設し、そこにロックアーム１０の回転角度を９０度の範囲に規制する回転規制凹部２０ｆを成形する。なお、図３および図４に示すように、同じ背面３１には、その角縁に２個所雌ねじを切って、固定ねじ用のねじ穴３３を成形している。
【００２１】
一方、上部には、その頂面３４に、機構部品Ｐの付勢ばねｄを配置する収納凹部２０ｇを設ける。収納凹部２０ｇは、付勢ばねｄの外形に合わせて略Ｈ型に成形し、付勢ばねｄを入れて載置できるように形成している。さらに、同じ頂面３４には、収納凹部２０ｇの間に図中下向きにロックプレートｃを差し込む組付穴２０ｈを設ける。組付穴２０ｈは、ロックプレートｃの上下動を案内するために、その厚板な形状に合わせて縦長に穿設し、下方のカム組付凹部２０ｄと連通するように成形する。
【００２２】
この組付用ブロック２０に組み込む機構部品Ｐの中で、シリンダストッパａは、亜鉛ダイカスト製で、シリンダ錠１５の本体の外周形状に合わせて凹設したシリンダ保持凹部３５を有し、該シリンダ保持凹部３５の上段に、カムｂの外周形状に合わせて凹設したカム保持凹部３６を有する。加えて、これら凹部３５・３６の横に、組付用ブロック２０に有するストッパ係合部２０ｅに対応させて、図中高さ方向に溝状の係合部３７を設けている。
【００２３】
カムｂは、亜鉛ダイカスト製で、円板部３８の中心に、シリンダ錠１５の先端に有する作用突起１５ａの外形に合わせてあけた係合穴３８ａを有する。円板部３８の周縁には、凹部と凸部をそれぞれ対称な位置に設け、それら凹凸部の端面にカム曲線を形成している。そして、凹部と凸部の端面に、それぞれ一段高い第１カム面ｍと低い第２カム面ｎを形成してなる。
【００２４】
ロックプレートｃは、ステンレス鋼製で、アーム挿通穴３９をあけた略矩形状の厚肉な板材からなる。そして、アーム挿通穴３９の内周縁を、径方向外向きに一部を切り欠いて、その横にアーム係止板部３９ａを形成する。さらに、アーム係止板部３９ａと反対の図中下端に、カムｂのカム面ｍ・ｎと各々対応する一対の下向き凸部３９ｂを設けている。なお、図示例の付勢ばねｄは、略Ｈ形のねじりスプリングである。
【００２５】
アームホルダ１１は、上記した機構部品Ｐの他に、外装ケース１９の矩形開口２１に被せる樹脂製の蓋体４０、固定用ねじ４１、ばね座金４２、六角ナット４３を備える。固定用ねじ４１には、捩じ込み用の断面六角穴を有する。
【００２６】
さて、上述した構成部品を備える防犯用ロック装置Ｒを組み立てる場合、ロックアーム１０は、先端側アーム部１０ｄを成形カバー部材１２ａのアーム挿通穴５３に挿入し、ねじ穴１０ｅ位置に取付穴５５を合わせてから、成形カバー部材１２ａの背面ｔ側から固定用ねじ１６を捩じ込み、図２に示すように成形カバー部材１２ａを組み付ける。
【００２７】
一方、組付用ブロック２０には、図３および図４に示すように、背面３１側からカム組付凹部２０ｄにカムｂを組み込む。また、頂面３４側から、組付穴２０ｈにロックプレートｃを差し込み、一対の凸部３９ｂをカムｂ上に載せる。次いで、付勢ばねｄを組付凹部２０ｇに入れて載置する。それから、付勢ばねｄを押えながら、組付用ブロック２０を、正面３０側を矩形開口２１に向けて、外装ケース１９内に嵌め入れる。しかる後、組付用ブロック２０を外装ケース１９内で図５中矢示するＸ方向にスライドし、凹状の第１掛止部２０ａは、外装ケース１９の凸状第１掛止部１９ａに嵌め合わせ、凹状の第２掛止部２０ｂは、外装ケース１９の凸状第２掛止部１９ｂに嵌め合わせて、組付用ブロック２０と外装ケース１９とを連結する。
【００２８】
次いで、ロックアーム１０は、基端側アーム部１０ａを、図３および図４に示す外装ケース１９のアーム挿入穴２４を通して組付用ブロック２０の筒穴２７に挿入する。そして、回転規制用ねじ１４を、ねじ挿通穴３２を通してロックアーム１０のねじ穴１０ｃに捩じ込み、ねじ頭部を、回転規制凹部２０ｆ内において基端部１０ａの外周から突出させる（図７参照）。
【００２９】
その後、シリンダ錠１５を、シリンダ挿通穴２２と円形穴２５を通して挿入し、シリンダストッパａのシリンダ保持凹部３５に嵌め込み、先端の作用突起１５ａをカムｂの中心係合穴３８ａに係合させて保持する。それから、シリンダストッパａをストッパ組付凹部２０ｃに組み込む。そして、シリンダ保持凹部３５をシリンダ錠１５の本体に、カム保持凹部３６をカムｂに、溝状の係合部３７を組付用ブロック２０のストッパ係合部２０ｅに、それぞれ嵌め付ける。こうして機構部品Ｐの中で最後にシリンダストッパａを組み込むと、その他の機構部品Ｐが組付状態の組付用ブロック２０と外装ケース１９とが固定状態になる。しかる後、外装ケース１９の矩形開口２１に蓋体４０を被せて弾性的に嵌め付けると、防犯用ロック装置Ｒが組み立てられる。
【００３０】
この防犯用ロック装置Ｒを機本体Ａに取り付けるときは、図５および図６に示す機本体Ａの側面４９のドア用施錠装置Ｃ寄りにおいて、ドア用施錠装置Ｃと対応する所定取付高さ位置に、アームホルダ１１の蓋体４０を当てがい、機本体Ａの内側から、固定用ねじ４１を組付用ブロック２０のねじ穴３３に捩じ込み、固定用ねじ４１にばね座金４２を介して六角ナット４３を螺合して締め付け、アームホルダ１１を機本体Ａの側面４９に固定する。
【００３１】
さて、図示自動販売機において、扉Ｂを閉じてから、その扉Ｂをロックする場合は、始めに、鍵４５を操作して扉Ｂのドア用施錠装置Ｃを施錠する。そのとき、防犯用ロック装置Ｒでは、ドア用施錠装置Ｃを施錠操作しやすいように、ロックアーム１０は、図８に示すように、先端側アーム部１０ｄが直立状態にある退避姿勢とし、ドア用施錠装置Ｃから離しておく。
【００３２】
しかる後、防犯用ロック装置Ｒを作動させて扉Ｂを二重にロックする。その場合は、まずロックアーム１０を、成形カバー部材１２のグリップ部５４を握って、図７（Ａ）中矢示する方向に９０度回動する。なお、このとき、ロックアーム１０は、後述するロック解除操作を行うことにより、予め回動可能なロック解除状態にあるとする。こうして９０度回動させると、ロックアーム１０は、回転規制用ねじ１４が回転規制凹部２０ｆの水平な第１規制面５０に当たり、切欠き溝１０ｂが上向きのロック位置で止まる。すると、図９に示すように、成形カバー部材１２ａにより、ドア用施錠装置Ｃ側のシリンダ錠２６における鍵穴部位を完全に覆った水平なロック姿勢になる。
【００３３】
次いで、防犯用ロック装置Ｒ側のシリンダ錠１５における鍵穴に、図１に示すように、鍵４５を差し込んで回し、図１０（Ａ）に示すように、シリンダ錠１５の作用突起１５ａを、施錠角度位置へ９０度回動する。すると、カムｂは、一段低い第２カム面ｎ上にロックプレートｃの凸部３９ｂが乗るロック位置へ回転する。そのため、ロックプレートｃは、付勢ばねｄによりロック解除高さ位置からロック高さ位置へ一段押し下がり、アーム係止板部３９ａを切欠き溝１０ｂに係止してロックアーム１０の動きをロックする。これにより、ロックアーム１０で扉Ｂの開閉を規制するロック状態にする。
【００３４】
加えて、防犯用ロック装置Ｒは、図１に示すように、成形カバー部材１２ａにより、ドア用施錠装置Ｃのシリンダ錠２６における鍵穴部位およびその周辺を覆った状態で扉Ｂの開閉をロックする。しかも、このとき、成形カバー部材１２ａは、背面ｔ側が扉正面と向き合い、その間で固定用ねじ１６を遮蔽して固定用ねじ１６の取り外しを規制した状態になる。
【００３５】
従って、図示自動販売機では、たとえドア用施錠装置Ｃを不正に解錠操作して扉Ｂを開けようとしても、成形カバー部材１２ａが邪魔で、その開放を阻止することができる。たとえ適宜工具を使って叩いたりして成形カバー部材１２ａをずらそうとしても、その程度では、幅広な成形カバー部材１２ａによる鍵穴部位の遮蔽状態は変わらず、とてもドア用施錠装置Ｃを不正解錠して扉Ｂを開けることはできない。
【００３６】
一方、必要に応じて、扉Ｂのロックを解除するときは、防犯ロック装置Ｒ側におけるシリンダ錠１５の鍵穴に鍵４５を差し込んで回し、図１０（Ｂ）に示すように、シリンダ錠１５の作用突起１５ａを、反対の解錠角度位置へ９０度回動する。すると、カムｂが連動し、第１カム面ｍ上にロックプレートｃの凸部３９ｂが乗り上がるロック解除位置へ回転する。そして、第１カム面ｍでロックプレートｃを付勢ばねｄに抗して押し上げ、アーム係止板部３９ａがロックアーム１０の切欠き溝１０ｂと非係合状態になるロック解除位置へ退避させる。このようにロック解除状態にしてから、成形カバー部材１２ａのグリップ部５４を握って、ロックアーム１０を図７（Ｂ）中矢示する方向に９０度回動する。すると、ロックアーム１０は、回転規制用ねじ１４が回転規制凹部２０ｆの垂直な第２規制面５１に当たって止まり、図８に示すように先端側アーム部１０ｄが機本体Ａの側面４９に沿って直立した退避状態のロック解除位置に戻る。
【００３７】
そのようにロックアーム１０を退避姿勢とし、先端側アーム部１０ｄをドア用施錠装置Ｃから離れたロック解除位置にしてから、鍵４５を操作して扉Ｂのドア用施錠装置Ｃを解錠し、扉Ｂの二重ロック状態を解く。
【００３８】
ところで、本発明の防犯用ロック装置Ｒでは、上述のようにロックアーム１０を、先端側アーム部１０ｄが機本体Ａの側面４９の横に退避した姿勢にしてから、たとえば商品のキャンペーン期間毎に、自動販売機の商品販売上の都合などに応じて、成形カバー部材１２ａを、施錠カバー手段１２に別に備える成形カバー部材と取り替える。このとき、成形カバー部材１２ａは、その背面ｔ側が機本体Ａの側面４９の横で開放状態にあるため、固定用ねじ１６を、障害なく取付穴５５から簡単に外すことができる。
【００３９】
図１１〜図１４に、図示防犯用ロック装置Ｒにおいて、施錠カバー手段１２に別に備える取替用成形カバー部材の一例を示す。施錠カバー手段１２には、図１１に示す成形カバー部材１２ｂの如く、玩具のキャラクタ形状に成形した成形カバー部材を備える。図１２には、他のキャラクタ形状に成形した取替用に備える成形カバー部材１２ｃを示す。
【００４０】
さらに、施錠カバー手段１２には、図１３に示すように、凹部５９に軸を渡して掛止め部６０を設けて成形した成形カバー部材１２ｄを、取替用に備えることもできる。図示例では、掛止め部６０に、たとえば商品キャンペーン用の懸賞応募はがきや宣伝広告用のパンプレット等を紐やフックなどを介して掛けて使用することができる。図１４には、他の凹形状のグリップ部５４を形成した取替用の成形カバー部材１２ｅを示す。
【００４１】
なお、上述した図示実施の形態では、施錠カバー手段１２の固定手段として固定用ねじ１６を用いたが、それに限らず、たとえば固定用ピンを用いて取付穴に圧入するなど、そのほか適宜固定手段を使用して成形カバー部材１２ａ…をロックアーム１０に取り付けることもできるのは、勿論である。
【００４２】
以上の図示実施の形態では、防犯用ロック装置Ｒを自動販売機に適用した例を示したが、本発明は、自動販売機に限らず、盗難防止のために、主たる錠装置とで開閉扉を二重にロックすることが必要な機器であれば、開閉扉付きの重要機器に広く適用することができる。
【００４３】
【発明の効果】
上述の如く構成した本発明によれば、次のような効果が得られる。
【００４４】
請求項１に記載の防犯用ロック装置によれば、施錠カバー手段の成形カバー部材により、ロックアームの機本体に対する取付位置のズレや、扉正面に対する縦付けや横付けなどドア用施錠装置の取付態様の違いに関係なく、ドア用施錠装置の鍵穴部位およびその周辺を広く覆って扉の開閉をロックし、たとえ適宜工具を使って叩いたりして成形カバー部材をずらすなどドア用施錠装置を不正に解錠操作して扉を開けようとしても、これを確実に防止して盗難防止効果をより向上させることができる。
【００４５】
しかも、ロックアームで扉の開閉をロックしたとき、成形カバー部材の固定手段を取り付けた背面側が扉正面と向き合い、その間で固定手段を隠して固定手段の取り外しを規制し、これにより、成形カバー部材のロックアームからの取り外しを困難にし、それだけ盗難防止効果をより一層向上させることができる。
【００４６】
さらに、請求項１に記載の防犯用ロック装置によれば、固定手段を外して、成形カバー部材を、施錠カバー手段に備える別の成形カバー部材と取り替えることにより、たとえば商品のキャンペーン期間毎に成形カバー部材の種類を切り替えて、自動販売機の商品販売の都合などに適応させることができる。しかも、成形カバー部材の取替時は、ロックアームを、ロック解除位置にして成形カバー部材の背面側が機本体の側面の横で開放状態にすることにより、固定手段を、障害なく取付穴から簡単に外すことができ、取り替え作業に便利であるという効果を奏することができる。
【００４７】
請求項２に記載の防犯用ロック装置によれば、成形カバー部材のグリップ部がロックアームの取っ手を兼ね、グリップ部を握って、ロックアームをロック位置とロック解除位置とに容易に回動操作することができる。
【００４８】
請求項３に記載の防犯用ロック装置によれば、成形カバー部材の掛止め部に、たとえば商品キャンペーン用の懸賞応募ハガキや宣伝広告用のパンプレット等を紐やフックなどを介して掛けて使用することもできる。
【図面の簡単な説明】
【図１】  ロックアームが成形カバー部材でドア用施錠装置の鍵穴部位を覆ったロック位置にある本発明の防犯用ロック装置を示す正面図である。
【図２】  防犯用ロック装置の組立斜視図である。
【図３】  防犯用ロック装置の分解斜視図である。
【図４】  図３と逆向きに示す防犯用ロック装置の分解斜視図である。
【図５】  防犯用ロック装置の横断面図である。
【図６】  防犯用ロック装置を取り付けた自動販売機を示す斜視図である。
【図７】  防犯用ロック装置におけるロックアームの回動規制構造を示し、（Ａ）はロック時の回動規制状態を示し、（Ｂ）はロック解除時の回動規制状態を示す状態説明図である。
【図８】  扉に対しロックアームを退避させてロック解除状態にある防犯用ロック装置を示す正面図である。
【図９】  扉に対しロックアームがロック姿勢にある防犯用ロック装置を示す正面図である。
【図１０】  防犯用ロック装置のロックアームに対するロック構造を、（Ａ）はアームロック状態において、（Ｂ）はその解除状態においてそれぞれ一部を断面にして示す状態説明図である。
【図１１】  施錠カバー手段に備えるキャラクタ形状の成形カバー部材を示す斜視図である。
【図１２】  別のキャラクタ形状の成形カバー部材を示す斜視図である。
【図１３】  掛止め部を有する成形カバー部材を示す斜視図である。
【図１４】  他のグリップ部を有する成形カバー部材を示す斜視図である。
【図１５】  従来の防犯用ロック装置を組み付けた自動販売機を示す斜視図である。
【符号の説明】
Ａ              機本体
Ｂ              扉
Ｃ              ドア用施錠装置
Ｒ              防犯用ロック装置
ｔ              成形カバー部材の背面
１０            ロックアーム
１０ｄ          先端側アーム部
１１            アームホルダ
１２            施錠カバー手段
１２ａ〜１２ｅ  成形カバー部材
１６            固定用ねじ（固定手段）
４９            機本体の側面
５４            グリップ部
５５            取付穴
６０            掛止め部
【図１】
0003693646.tif 000002
【図２】
0003693646.tif 000003
【図３】
0003693646.tif 000004
【図４】
0003693646.tif 000005
【図５】
0003693646.tif 000006
【図６】
0003693646.tif 000007
【図７】
0003693646.tif 000008
【図８】
0003693646.tif 000009
【図９】
0003693646.tif 000010
【図１０】
0003693646.tif 000011
【図１１】
0003693646.tif 000012
【図１２】
0003693646.tif 000013
【図１３】
0003693646.tif 000014
【図１４】
0003693646.tif 000015
【図１５】
0003693646.tif 000016